(57)【特許請求の範囲】
【請求項１】
複数の鎖錠端子と、これら複数の鎖錠端子を内部に収納する本体とを備え、この本体には、前記各鎖錠端子に鎖錠させる電線を挿入するための電線挿入孔が上面に形成されているとともに、取付孔が形成された取付板のその取付孔に弾性変形させて取り付けられるものであって相互に離反する方向に係止用突起が各先端部に形成され弾性を有する一対の取付爪が設けられ、これら一対の取付爪のうち、電線挿入孔が遠い側の取付爪の肉厚を電線挿入孔が近い側の取付爪に比べて変化させて成り、前記本体から取付面側にアース片や回り止め突起などの突出部を設けるとともに、この突出部の高さを、取付爪先端と係止用突起の係止部との間に設定して成ることを特徴とする端子台。
【請求項２】
前記本体は、一面開口の箱状に形成され前記複数の鎖錠端子を互いに絶縁した状態で内部に収納するボディと、このボディの開口および側面を覆う箱状に形成され前記各鎖錠端子に対応する位置に前記電線挿入孔を有するカバーとにより成ることを特徴とする請求項１記載の端子台。
【請求項３】
前記各鎖錠端子は、板状の端子板部と、この端子板部とともに対応する前記電線挿入孔から挿入された電線の導体線を狭持し鎖錠する鎖錠片を有する速結端子板部とを一体に備えて成ることを特徴とする請求項１記載の端子台。
【請求項４】
一端側に圧接部を有し他端側にスリットを有するアースバネを備え、前記ボディには、前記アースバネの圧接部を内部に収納し、この圧接部を前記複数の鎖錠端子のうちの一の鎖錠端子に圧接させるための挿入孔が穿設されているとともに、前記アースバネのスリットに嵌入してそのアースバネを前記ボディに固定するための突起が形成されていることを特徴とする請求項２記載の端子台。
【発明の詳細な説明】
【０００１】
【発明の属する技術分野】
本発明は、例えば照明器具に内蔵して使用される端子台に関するものである。
【０００２】
【従来の技術】
従来、この種の端子台には、当該端子台を取付孔が形成された取付板にその取付孔を通じて取り付けるために、取付爪が設けられることがある。
【０００３】
例えば、特開平２−２８３９０９号公報には、一対の取付脚（取付爪）を設けて部品の取付が容易にかつ良好に行われるようにした部品の取付構造が開示されている。
【０００４】
【発明が解決しようとする課題】
しかしながら、上記部品の取付構造では、端子台が取付板から外れ易く、また取付板の取付孔の孔径に対する一対の取付爪の構造による制約が大きいという課題があった。
【０００５】
図９は特開平２−２８３９０９号公報に記載の一対の取付爪を適用した端子台の上面図および側面図、図１０は図９の端子台が取付板から外れ易いという課題の説明図、図１１は取付板の取付孔の孔径に対する一対の取付爪の構造から受ける制約が大きいという課題の説明図である。
【０００６】
いま、図９（ａ）に示すように、一対の取付爪ＰＡ１，ＰＡ２に対して、近い位置と遠い位置とに電線挿入孔Ｈ１０が設けられる端子台があり、図９（ｂ）に示すように、取付爪ＰＡ１，ＰＡ２に対して遠い位置の電線挿入孔Ｈ１０に電線Ｗを挿入し、その電線Ｗを上方に引っ張ったとすると、図１０に示すように、端子台の左方側が取付板Ｂから離れる状態になる。このとき、専ら取付爪ＰＡ２に大きな引張り力が加わり、取付爪ＰＡ１と取付爪ＰＡ２との肉厚が同一であるので（図９（ｂ）の寸法Ｍ１１，Ｍ１２参照）、取付爪ＰＡ１の左方への変位量よりも取付爪ＰＡ２の右方への変位量の方が大きくなり、端子台が取付板から外れ易くなる（図１０の下段に示す破線参照）。このような不具合は、一対の取付爪ＰＡ１，ＰＡ２に対して遠い位置の電線挿入孔Ｈ１０に挿入した電線Ｗを引っ張ったときに発生し易い。また、この場合、てこの原理による効果が大きく、より大きな力が取付爪ＰＡ２に加わるので、取付爪ＰＡ２の破損により端子台が取付板から外れる場合もある。
【０００７】
他方、端子台の取付板Ｂへの組付けの際、取付爪ＰＡ１と取付爪ＰＡ２との肉厚が同一であると、図１１の破線に示すように、取付爪ＰＡ１の左方への変位量と取付爪ＰＡ２の右方への変位量とが等しくなるので、両取付爪ＰＡ１，ＰＡ２は同一の高さで接触する。したがって、それ以上、両取付爪ＰＡ１，ＰＡ２の各係止用突起の先端間の長さを短くすることができないので、その長さよりも取付板Ｂの取付孔Ｈ１１を小さくすることができない。つまり、取付板Ｂの取付孔Ｈ１１の孔径に対する一対の取付爪ＰＡ１，ＰＡ２の構造から受ける制約が大きいのである。
【０００８】
本発明は、上記事情に鑑みてなされたものであり、端子台が取付板から外れ難く、また取付板の取付孔の孔径に対する一対の取付爪の構造による制約が小さい端子台を提供することを目的とする。
【０００９】
【課題を解決するための手段】
上記課題を解決するために、請求項１記載の発明の端子台は、複数の鎖錠端子と、これら複数の鎖錠端子を内部に収納する本体とを備え、この本体には、前記各鎖錠端子に鎖錠させる電線を挿入するための電線挿入孔が上面に形成されているとともに、取付孔が形成された取付板のその取付孔に弾性変形させて取り付けられるものであって相互に離反する方向に係止用突起が各先端部に形成され弾性を有する一対の取付爪が設けられ、これら一対の取付爪のうち、電線挿入孔が遠い側の取付爪の肉厚を電線挿入孔が近い側の取付爪に比べて変化させて成り、前記本体から取付面側にアース片や回り止め突起などの突出部を設けるとともに、この突出部の高さを、取付爪先端と係止用突起の係止部との間に設定して成るのである。
【００１０】
この構造では、一対の取付爪のうち、電線挿入孔が遠い側の取付爪の肉厚を電線挿入孔が近い側の取付爪に比べて変化させると、端子台を取付板から外れ難くすることができるとともに、取付板の取付孔の孔径に対する一対の取付爪の構造による制約を小さくすることができる。さらに、この構造によれば、両取付爪の各係止用突起の変位量がアンバランスであっても、端子台を取付板に対してまっすぐ押し込むことができ、取付操作性が良くなる。  
【００１１】
また、請求項１記載の端子台において、前記本体は、一面開口の箱状に形成され前記複数の鎖錠端子を互いに絶縁した状態で内部に収納するボディと、このボディの開口および側面を覆う箱状に形成され前記各鎖錠端子に対応する位置に前記電線挿入孔を有するカバーとにより成る構造でもよい（請求項２）。この構造でも、端子台を取付板から外れ難くすることができるとともに、取付板の取付孔の孔径に対する一対の取付爪の構造による制約を小さくすることができる。
【００１２】
また、請求項１記載の端子台において、前記各鎖錠端子は、板状の端子板部と、この端子板部とともに対応する前記電線挿入孔から挿入された電線の導体線を狭持し鎖錠する鎖錠片を有する速結端子板部とを一体に備えて成る構造でもよい（請求項３）。この構造によれば、部品点数の削減が可能になる。
【００１３】
さらに、請求項２記載の端子台において、一端側に圧接部を有し他端側にスリットを有するアースバネを備え、前記ボディには、前記アースバネの圧接部を内部に収納し、この圧接部を前記複数の鎖錠端子のうちの一の鎖錠端子に圧接させるための挿入孔が穿設されているとともに、前記アースバネのスリットに嵌入してそのアースバネを前記ボディに固定するための突起が形成されている構造でもよい（請求項４）。この構造によれば、アースバネおよび一の鎖錠端子により構成されるアースブロックのボディへの取付けが容易になる。
【００１４】
【発明の実施の形態】
図１は本発明の一実施形態に係る端子台の分解斜視図、図２は図１の端子台を上方から見た図、図３は図１の端子台を後方から見た図、図４は図１の端子台の一部断面図で、これらの図を用いて以下に本実施形態の説明を行う。
【００１５】
図１に示す端子台は、例えば照明器具における取付孔Ｈ１が形成された金属製の取付板Ｂに取り付けられて使用されるものであって、複数の速結端子部１１，１２，１３（複数の鎖錠端子）と、アースバネ１４と、複数の速結端子部１１，１２，１３を内部に収納するボディ１５およびカバー１６とにより構成されている。
【００１６】
速結端子部１１は、両端が左方に屈曲する板状の端子板部１１１と、この端子板部１１１の上端中央から左方に屈曲して前後方向に延びる断面弓形状に形成され、電線の導体線（図示せず）を端子板部１１１の屈曲部分とともに鎖錠片１１２ａとしての各先端で狭持し鎖錠する速結端子板部１１２と、この速結端子板部１１２の前後端の各々から延設された解錠片１１３と、端子板部１１１の下端後方から右方に屈曲して前方に延びる延設部１１４と、この延設部１１４の前端から上方に屈曲する板状の屈曲部１１５と、この屈曲部１１５に形成された一対の鎖錠片１１６とを備え、金属板を使用し例えば曲げ加工およびかしめなどを行うことにより一体に構成される。つまり、端子板部１１１の屈曲部分と速結端子板部１１２の各鎖錠片１１２ａとにより、前後方向に配列された電線速結用の速結手段が一対構成され、屈曲部１１５側の一対の鎖錠片１１６により、左右方向に配列された電線速結用の速結手段が一対構成される構造になっている。
【００１７】
速結端子部１２は、両端が右方に屈曲する板状の端子板部１２１と、この端子板部１２１の上端中央から右方に屈曲して前後方向に延びる断面弓形状に形成され、電線の導体線を端子板部１２１の屈曲部分とともに鎖錠片１２２ａとしての各先端で狭持し鎖錠する速結端子板部１２２と、この速結端子板部１２２の前後端の各々から延設された解錠片１２３と、端子板部１２１の下端後方から左方に屈曲して前方に延びる延設部１２４と、この延設部１２４の前端から上方に屈曲する板状の屈曲部１２５と、この屈曲部１２５に形成された一対の鎖錠片１２６とを備え、金属板を使用し例えば曲げ加工およびかしめなどを行うことにより一体に構成される。つまり、端子板部１２１の屈曲部分と速結端子板部１２２の各鎖錠片１２２ａとにより、前後方向に配列された電線速結用の速結手段が一対構成され、屈曲部１２５側の一対の鎖錠片１２６により、左右方向に配列された電線速結用の速結手段が一対構成される構造になっている。
【００１８】
速結端子部１３は、両端が右方に屈曲する板状の端子板部１３１と、この端子板部１３１の上端中央から右方に屈曲して前後方向に延びる断面弓形状に形成され、電線の導体線を端子板部１３１の屈曲部分とともに鎖錠片１３２ａとしての各先端で狭持し鎖錠する速結端子板部１３２と、この速結端子板部１３２の前後端の各々から延設された解錠片１３３とを備え、金属板を使用し例えば曲げ加工などを行うことにより一体に構成される。つまり、端子板部１３１の屈曲部分と速結端子板部１３２の各鎖錠片１３２ａとにより、前後方向に配列された電線速結用の速結手段が一対構成される構造になっている。そして、本実施形態では、速結端子部１３はアース端子として使用される。
【００１９】
アースバネ１４は、金属板を使用し例えば曲げ加工などを行うことにより図１に示す形状に形成され、速結端子部１３の端子板部１３１の右面に圧接（当接）する圧接部１４１を左端側に有し、当該アースバネ１４をボディ１５に取り付けるためのスリット１４２を右端側に有している。また、アースバネ１４の右端側は下方に屈曲されており（図４参照）、この屈曲部分が取付板Ｂのアース孔Ｈ２に挿入され取付板Ｂに圧接される。
【００２０】
ボディ１５は、絶縁性の樹脂などで一面開口の箱状に形成され、速結端子部１１〜１３を互いに絶縁した状態で左右方向に並べて内部に収納するものである。このボディ１５には、速結端子部１１〜１３を互いに絶縁した状態で収納するための隔壁部１５ａ，１５ｂと、速結端子部１１〜１３をそれぞれ当該ボディ１５に取付固定するための断面コ字状の壁部１５ｃ〜１５ｅとが形成されている。
【００２１】
また、ボディ１５の下面には、本端子台の回り止め用であって取付板Ｂの孔Ｈ３に挿入される突起１５ｆが形成され（図３参照）、またアースバネ１４填め込み用の溝部１５ｇが設けられている（図４参照）。この溝部１５ｇには、アースバネ１４のスリット１４２に嵌入（圧入）するリブ１５ｈが形成され、このリブ１５ｈの近傍には、アースバネ１４の圧接部１４１側をボディ１５内部に挿入するための孔１５ｉが穿設されている。
【００２２】
また、ボディ１５の前方側面には、複数の孔１５ｊが上記各鎖錠片１２６に対応する位置に穿設されている。
【００２３】
さらに、前後方向と直交するボディ１５の両側面の各々には、係止爪１５ｋが複数形成されているとともに、取付部１５０が左右方向の右方寄りに一体に形成されている（図２，図３参照）。具体的には、各取付部１５０は、隔壁１５ａを通る面を中心とする位置に設けられ、弾性を有する取付爪１５１，１５２としての両端が下方に延びる断面コ字状に形成され、両取付爪１５１，１５２の先端には、それぞれ左右方向に相互に離反する係止用突起１５１ａ，１５２ａが形成されている。そして、本実施形態の特徴として、両取付爪１５１，１５２のうち、左右方向の右方寄りの取付爪１５１よりもその左方寄りの取付爪１５２の方が肉厚が厚くなっている（後述の図５における寸法Ｍ１，Ｍ２（＞Ｍ１）参照）。例えば、取付爪１５１の厚みは１．２ｍｍ程度に設定され、取付爪１５２の厚みは１．４ｍｍ程度に設定される。なお、既述の突起１５ｆは、この下端が取付爪１５１，１５２の下端と係止用突起１５１ａ，１５２ａの先端との間にくるようにその高さが設定されている。
【００２４】
カバー１６は、絶縁性の樹脂などでボディ１５の開口および側面を覆う箱状に形成され、上述の各速結手段に対応する位置に電線挿入孔１６ａを有している。さらに詳述すると、カバー１６の上面には６つの電線挿入孔１６ａが穿設され、カバー１６の前方側面には５つの電線挿入孔１６ａが穿設されている。ただし、前方側面に設けられた５つの電線挿入孔１６ａのうち、左端側の電線挿入孔１６ａは、内蔵する速結端子部への接続用としては使用されない。
【００２５】
また、カバー１６の上面には、架橋部１６ｂを挟んで隣接されたＴ字状の一対の孔１６ｃが２組穿設され、各孔１６ｃには当該孔１６ｃよりも一回り小さめで弾性を有する解錠部材１６ｄが架橋部１６ｂから延設されている（図２参照）。ここで、右方側における前後いずれかの解錠部材１６ｄの先端を押下すると、押下された解錠部材１６ｄの下方に位置する前後いずれかの解錠片１１３，１２３がそれに押されて降下し、これら解錠片１１３，１２３側の鎖錠片１１２ａ，１２２ａの各先端が対応する端子板部１１１，１２１の屈曲部分から離れる。同様に、左方側における前後いずれかの解錠部材１６ｄの先端を押下すると、押下された解錠部材１６ｄの下方に位置する前後いずれかの解錠片１３３がそれに押されて降下し、この解錠片１３３側の鎖錠片１３２ａの先端が対応する端子板部１３１の屈曲部分から離れる。これらの結果、前後方向に配列された各速結手段からの電線の引抜きが可能になる。
【００２６】
さらに、前後方向と直交するカバー１６の両側面の各々には、各係止爪１５ｋが係止する係止孔１６ｅが複数設けられている（図３参照）。
【００２７】
図５は取付板に取り付けられた図１の端子台を前方から見た図、図６は取付板に取り付けられた図１の端子台を後方から見た図で、これらの図をさらに用いて本端子台の組立ておよび取付板への組付け手順の一例を説明する。ただし、図５および図６では、簡単のため、取付板のみ断面図で示してある。
【００２８】
まず、例えばアースバネ１４の圧接部１４１をボディ１５の孔１５ｉに挿入しながら、アースバネ１４のスリット１４２にボディ１５のリブ１５ｈを嵌入し、ダボカシメを行う（図４参照）。これにより、アースバネ１４はボディ１５の溝部１５ｇに填め込まれて固定される。
【００２９】
この後、速結端子部１１〜１３をそれぞれボディ１５の断面コ字状の壁部１５ｃ〜１５ｅに嵌入する。これにより、速結端子部１１〜１３はボディ１５に取付固定される。
【００３０】
この後、カバー１６でボディ１５の開口および側面を閉塞しながら、ボディ１５の各係止爪１５ｋを対応するカバー１６の各係止孔１６ｅに係止させる。これにより、ボディ１５とカバー１６とが互いに固定されるとともに、速結端子部１１〜１３が抜け止め固定され、完成品としての端子台が得られる。
【００３１】
この後、取付板Ｂの孔Ｈ３に対して突起１５ｆの位置合わせを行いながら、端子台の各取付部１５０の取付爪１５１，１５２を対応する取付板Ｂの取付孔Ｈ１に嵌入する。続いて、電線Ｗを電線挿入孔１６ａに挿入する。これにより、図５および図６に示すように、端子台の取付板Ｂへの組付けが完了する。
【００３２】
図７および図８は本実施形態の特徴となる取付部の両取付爪から得られる作用の説明図である。ただし、図７および図８では、簡単のため、取付板のみ断面図で示してある。
【００３３】
図５の状態から、すなわち速結端子部１３側に電線Ｗが接続されている状態から、その電線Ｗを上方に引っ張ると、図７に示すように、端子台の左方側が取付板Ｂから離れる状態になる。このとき、専ら取付爪１５２に大きな引張り力が加わるが、取付爪１５１よりも取付爪１５２の方が厚めの肉厚になっているので、取付爪１５１の左方への変位量と取付爪１５２の右方への変位量との差が少なくあるいはほぼ等しくなり、端子台が取付板Ｂから外れ難くなる。例えば、両者の変位量の差がほぼ等しければ、図７の下段に示す破線のように、取付爪１５１，１５２の双方が取付孔Ｈ１から同時に抜けない限り、取付板Ｂからの端子台の外れが防止され得る。また、取付爪１５２の肉厚を厚くしたので、取付爪１５２の破損による取付板Ｂからの端子台の外れも防止される。
【００３４】
他方、本端子台の取付板Ｂへの組付けの際、取付爪１５１よりも取付爪１５２の方が厚めの肉厚になっているので、図８の破線に示すように、取付爪１５２の右方への変位量よりも取付爪１５１の左方への変位量の方が大きくなり、両取付爪１５１，１５２は異なる高さで接触する。この結果、両取付爪１５１，１５２の各係止用突起の先端間の長さが短くなる。これにより、取付板Ｂの取付孔Ｈ１の寸法を小さくすることができる。つまり、取付板Ｂの取付孔Ｈ１の孔径に対する一対の取付爪１５１，１５２の構造による制約を小さくすることができる。
【００３５】
以上により、より大きな引張り荷重のかかる取付爪の寸法を大きくすれば、単位変位量（たわみ）に対する応力値も増加するために、図９に示した端子台のように、より大きな引張り荷重のかかった取付爪のみが大きくたわんで外れることがなく、耐引張り荷重値の増加を図ることができる。
【００３６】
また、一対の取付爪の寸法を大きくした場合に比べて、端子台を取付板に取り付ける際の荷重が軽減されるので、端子台の取付板への組付けが容易になる。
【００３７】
また、取付板の取付孔の孔径を小さくすることができるので、取付強度（引張り強度）をより強固にすることができる。
【００３８】
さらに、端子台の取付板への取付けの際、取付けが完了するまでの間、ボディの下面に形成した突起が当該突起用の孔にガイドされるので、両取付爪の各係止用突起の変位量がアンバランスであっても、端子台を取付板に対してまっすぐ押し込むことができ、取付操作性が良く、また自動機などで自動取付を行うときの位置決め精度が良くなる。
【００３９】
【発明の効果】
以上のことから明らかなように、請求項１記載の発明によれば、複数の鎖錠端子と、これら複数の鎖錠端子を内部に収納する本体とを備え、この本体には、前記各鎖錠端子に鎖錠させる電線を挿入するための電線挿入孔が上面に形成されているとともに、取付孔が形成された取付板のその取付孔に弾性変形させて取り付けられるものであって相互に離反する方向に係止用突起が各先端部に形成され弾性を有する一対の取付爪が設けられ、これら一対の取付爪のうち、電線挿入孔が遠い側の取付爪の肉厚を電線挿入孔が近い側の取付爪に比べて変化させて成るので、端子台を取付板から外れ難くすることができるとともに、取付板の取付孔の孔径に対する一対の取付爪の構造による制約を小さくすることができる。さらに、前記本体から取付面側にアース片や回り止め突起などの突出部を設けるとともに、この突出部の高さを、取付爪先端と係止用突起の係止部との間に設定して成るので、両取付爪の各係止用突起の変位量がアンバランスであっても、端子台を取付板に対してまっすぐ押し込むことができ、取付操作性が良くなる。  
【００４０】
請求項２記載の発明によれば、請求項１記載の端子台において、前記本体は、一面開口の箱状に形成され前記複数の鎖錠端子を互いに絶縁した状態で内部に収納するボディと、このボディの開口および側面を覆う箱状に形成され前記各鎖錠端子に対応する位置に前記電線挿入孔を有するカバーとにより成るのであり、この構造でも、端子台を取付板から外れ難くすることができるとともに、取付板の取付孔の孔径に対する一対の取付爪の構造による制約を小さくすることができる。
【００４１】
請求項３記載の発明によれば、請求項１記載の端子台において、前記各鎖錠端子は、板状の端子板部と、この端子板部とともに対応する前記電線挿入孔から挿入された電線の導体線を狭持し鎖錠する鎖錠片を有する速結端子板部とを一体に備えて成るので、部品点数の削減が可能になる。
【００４２】
請求項４記載の発明によれば、請求項２記載の端子台において、一端側に圧接部を有し他端側にスリットを有するアースバネを備え、前記ボディには、前記アースバネの圧接部を内部に収納し、この圧接部を前記複数の鎖錠端子のうちの一の鎖錠端子に圧接させるための挿入孔が穿設されているとともに、前記アースバネのスリットに嵌入してそのアースバネを前記ボディに固定するための突起が形成されているので、アースバネおよび一の鎖錠端子により構成されるアースブロックのボディへの取付けが容易になる。
【図面の簡単な説明】
【図１】  本発明の一実施形態に係る端子台の分解斜視図である。
【図２】  図１の端子台を上方から見た図である。
【図３】  図１の端子台を後方から見た図である。
【図４】  図１の端子台の一部断面図である。
【図５】  取付板に取り付けられた図１の端子台を前方から見た図である。
【図６】  取付板に取り付けられた図１の端子台を後方から見た図である。
【図７】  本実施形態の特徴となる取付部の両取付爪から得られる作用の説明図である。
【図８】  本実施形態の特徴となる取付部の両取付爪から得られる作用の説明図である。
【図９】  （ａ）及び（ｂ）は特開平２−２８３９０９号公報に記載の一対の取付爪を適用した端子台の上面図および側面図である。
【図１０】  図９の端子台が取付板から外れ易いという課題の説明図である。
【図１１】  取付板の取付孔の孔径に対する一対の取付爪の構造から受ける制約が大きいという課題の説明図である。
【符号の説明】
１１，１２，１３  速結端子部
１４  アースバネ
１５  ボディ
１５ｆ  突起
１５０  取付部
１５１，１５２  取付爪
１５１ａ，１５２ａ  係止用突起
１６  カバー
【図１】
0003762596.tif 000002
【図２】
0003762596.tif 000003
【図３】
0003762596.tif 000004
【図４】
0003762596.tif 000005
【図５】
0003762596.tif 000006
【図６】
0003762596.tif 000007
【図７】
0003762596.tif 000008
【図８】
0003762596.tif 000009
【図９】
0003762596.tif 000010
【図１０】
0003762596.tif 000011
【図１１】
0003762596.tif 000012